(57)【要約】      （修正有）【課題】横方向と縦方向の梱包を行え、回転台を不要とする十字梱包装置を提供する。【解決手段】ベース１０は作業平面を有し、作業平面１１に被作業物体を収納し、横方向の梱包機構２０は横方向のガイドフレーム２１と第１バンド供給ユニットと第１バンド熱着切断ユニットとを有し、第１バンド供給ユニットは第１梱包バンドＴ１を供給する。第１梱包バンドは横方向のガイドフレームを経由して被作業物体の上面、底面と側面に繞設され、第１バンド熱着切断ユニットは第１梱包バンドを熱で溶かして接着切断し、横方向の梱包を完成する。又、縦方向の梱包機構３０は垂直ガイドユニット３１と第２バンド供給ユニット３２と第２バンド熱着切断ユニットとを有し、第２バンド供給ユニットは第２梱包バンドＴ２を供給する。第２梱包バンドは垂直ガイドユニットを経由して被作業物体の上面、底面、前面と背面に繞設され、第２バンド熱着切断ユニットは第２梱包バンドを熱で溶かして接着切断し、縦方向の梱包を完成する。【選択図】図４
0003165277.tif 000002
【実用新案登録請求の範囲】
【請求項１】
ベースと、横方向の梱包機構と、縦方向の梱包機構とを含む十字梱包装置であって、
前記ベースは作業平面と、第一端と、第二端とを具備し、前記作業平面には、被作業物体を収納し、前記被作業物体は一つの上面、一つの底面、一つの前面、一つの背面および二つの側面を具備し、
前記横方向の梱包機構は、横方向のガイドフレームと、  第１バンド供給ユニットと、第１バンド熱着切断ユニットとを具備し、前記第１バンド供給ユニットは第１梱包バンドを供給するのに用いられ、前記第１梱包バンドは前記横方向のガイドフレームを経由して前記被作業物体の上面、底面及び二つの側面に繞設され、前記第１バンド熱着切断ユニットは第１梱包バンドを熱で溶かして接着切断するのに用いられるとともに、横方向の梱包を完成し、
前記縦方向の梱包機構は、垂直ガイドユニットと、  第２バンド供給ユニットと、第２バンド熱着切断ユニットとを具備し、前記第２バンド供給ユニットは第２梱包バンドを供給するのに用いられ、前記第２梱包バンドは前記垂直ガイドユニットを経由して前記被作業物体の上面、底面、前面及び背面に繞設され、前記第２バンド熱着切断ユニットは第２梱包バンドを熱で溶かして接着切断するのに用いられるとともに、縦方向の梱包を完成し、
以上の構成により、固定され、且つ回転しない同一の作業平面において前記被作業物体の横方向と縦方向の梱包を完成することを特徴とする、十字梱包装置。
【請求項２】
前記縦方向の梱包機構の前記第２バンド熱着切断ユニットは、第１挟み部材、第２挟み部材、第３挟み部材、第４挟み部材、第５挟み部材、横ガイド部材、切断部および熱溶部を含み、
前記第１挟み部材と前記第２挟み部材は、前記第２梱包バンドの端部を挟むか、または開放することができ、前記第３挟み部材と前記第４挟み部材と前記第５挟み部材は、前記被作業物体の底面内外を出入り可能に構成され、しかも前記第３挟み部材と前記第４挟み部材は、前記第２梱包バンドの第１部位を挟むか、または開放することができ、前記第３挟み部材と前記第５挟み部材は、前記第２梱包バンドの第２部位を挟むか、または開放することができ、
前記横ガイド部材は、前記第２梱包バンドを前記被作業物体の底面へ案内するとともに、部分的に重ね合わせることで前記被作業物体を一周するよう装着し、
前記切断部は、前記第２梱包バンドを切断し、
前記熱溶部は、前記第２梱包バンドが部分的に重ね合わせた部位を熱で溶かして接着することを特徴とする、請求項１に記載の十字梱包装置。
【請求項３】
前記十字梱包装置には、上下移動できる複数の押圧板をさらに設けることを特徴とする、請求項１に記載の十字梱包装置。
【考案の詳細な説明】
【技術分野】
【０００１】
本考案は十字梱包装置に係り、特に、単一の機器上において横方向と縦方向の梱包を行うとともに、回転台の設置を不要とする十字梱包装置に関する。
【背景技術】
【０００２】
図１、図２および図３A乃至図３Ｄには、新聞／雑誌又は他の産業用の十字梱包作業に用いられる三台の機器を示し、そのうち、第１梱包機８１、回転台８２および第２梱包機８３を含む。
【０００３】
公知の十字梱包作業の流れでは、まず、梱包物９０を第一位置Ｐ１から第一梱包機８１の第２位置Ｐ２まで移動し、第一次の梱包を行う。このとき、梱包物９０上に第１梱包バンドＸ１がある。その後、梱包物９０を回転台８２の第３位置まで移動し、さらに梱包物９０を水平方向に９０度回転する（図３Ｂの状態から図３Ｃの状態になる）。次に、梱包物９０を第二梱包機８３の第４位置に運び、第二次の梱包を行う。その後、梱包物９０を第５位置Ｐ５に運び出す。同時に、梱包物９０上に第２梱包バンドＸ２があり、第２梱包バンドＸ２と第１梱包バンドＸ１は垂直に交わり、十字型を呈する。即ち、十字梱包作業を完成する。
【考案の概要】
【考案が解決しようとする課題】
【０００４】
しかし、上述した公知の技術では、三台の機器を必要とするため、スペースが必要で、製造コストが嵩むばかりではなく、移動作業が多く、作業流れも複雑である。
【０００５】
また、梱包物９０を回転台８２に移動するとき、回転台８２の中心に移動する必要があるため、さもなければ、回転した後に傾斜が生じやすく、再び移動位置を手動で調整する必要がある。さらに梱包物９０は重量が比較的に大きくなると、回転時に必要な動力も大きくなり、相当なエネルギーも必要となる。
【０００６】
そこで、本考案の主な目的は、単一の機器上において横方向と縦方向の梱包を行うとともに、回転台の設置を不要とし、上記の従来技術で作業量が多く、流れが複雑で、回転台の回転後の傾斜という問題点を解決することができる十字梱包装置を提供することにある。
【課題を解決するための手段】
【０００７】
上記課題を解決するために、本考案の十字梱包装置は、ベースと、横方向の梱包機構と、縦方向の梱包機構とを含む十字梱包装置であって、前記ベースは作業平面と、第一端と、第二端とを具備し、前記作業平面には、被作業物体を収納し、前記被作業物体は一つの上面、一つの底面、一つの前面、一つの背面および二つの側面を具備し、前記横方向の梱包機構は、横方向のガイドフレームと、第１バンド供給ユニットと、第１バンド熱着切断ユニットとを具備し、前記第１バンド供給ユニットは第１梱包バンドを供給するのに用いられ、前記第１梱包バンドは前記横方向のガイドフレームを経由して前記被作業物体の上面、底面及び二つの側面に繞設され、前記第１バンド熱着切断ユニットは第１梱包バンドを熱で溶かして接着切断するのに用いられるとともに、横方向の梱包を完成し、前記縦方向の梱包機構は、垂直ガイドユニットと、  第２バンド供給ユニットと、第２バンド熱着切断ユニットとを具備し、前記第２バンド供給ユニットは第２梱包バンドを供給するのに用いられ、前記第２梱包バンドは前記垂直ガイドユニットを経由して前記被作業物体の上面、底面、前面及び背面に繞設され、前記第２バンド熱着切断ユニットは第２梱包バンドを熱で溶かして接着切断するのに用いられるとともに、縦方向の梱包を完成し、以上の構成により、固定され、且つ回転しない同一の作業平面において前記被作業物体の横方向と縦方向の梱包を完成することを特徴とするものである。
【考案の効果】
【０００８】
本考案の十字梱包装置によれば、次のような効果がある。
（１）単一の機器上において横方向の梱包と縦方向の梱包を完成する。本考案は、単一の機器を必要とするだけで、横方向の梱包と縦方向の梱包を完成することができるので、全体の作業流れがより簡単になる。
【０００９】
（２）回転台の設置を不要とする。従来技術では、回転台を設置する必要があるが、本考案では、回転台が全く不要となるため、省スペースとコストの削減を図ることができる。
【図面の簡単な説明】
【００１０】
【図１】公知の十字梱包装置において第一次の梱包作業を示す概略説明図である。
【図２】公知の十字梱包装置において９０度回転と第二次の梱包作業を示す概略説明図である。
【図３Ａ】公知の十字梱包装置における動作過程一の説明図である。
【図３Ｂ】公知の十字梱包装置における動作過程二の説明図である。
【図３Ｃ】公知の十字梱包装置における動作過程三の説明図である。
【図３Ｄ】公知の十字梱包装置における動作過程四の説明図である。
【図４】本考案の十字梱包装置の概略斜視図である。
【図５Ａ】本考案の十字梱包装置において梱包前の状態を示す概略説明図である。
【図５Ｂ】本考案の十字梱包装置において梱包物が作業平面に入っている状態を示す概略説明図である。
【図５Ｃ】本考案の十字梱包装置において横方向の梱包を完成した後の状態を示す概略説明図である。
【図５Ｄ】本考案の十字梱包装置において縦方向の梱包を完成した後の状態を示す概略説明図である。
【図６Ａ】本考案の十字梱包装置における縦方向の梱包のプロセス一の説明図である。
【図６Ｂ】本考案の十字梱包装置における縦方向の梱包のプロセス二の説明図である。
【図６Ｃ】本考案の十字梱包装置における縦方向の梱包のプロセス三の説明図である。
【図６Ｄ】本考案の十字梱包装置における縦方向の梱包のプロセス四の説明図である。
【図６Ｅ】本考案の十字梱包装置における縦方向の梱包のプロセス五の説明図である。
【図６Ｆ】本考案の十字梱包装置における縦方向の梱包のプロセス六の説明図である。
【考案を実施するための形態】
【００１１】
以下、本考案の実施の形態を図面に基づいて説明する。
【００１２】
図４と図５Ａには、本考案の十字梱包装置を示し、この十字梱包装置は主にベース１０と、横方向の梱包機構と、縦方向の梱包機構と、を含む。
【００１３】
前記ベース１０は、作業平面１１と、第１端１２と、第２端１３を具備する。前記作業平面１１には、被作業物体を７０収納し、前記被作業物体７０は一つの上面７１、一つの底面７２、一つの前面７３、一つの背面７４および二つの側面７５、７５を具備する。
【００１４】
前記横方向の梱包機構２０は、横方向のガイドフレーム２１と、  第１バンド供給ユニット２２と、第１バンド熱着切断ユニット２３とを具備する。前記第１バンド供給ユニット２２は第１梱包バンドＴ１を供給するのに用いられ、前記第１梱包バンドＴ１は前記横方向のガイドフレーム２１を経由して前記被作業物体７０の上面７１、底面７２及び二つの側面７５、７５に繞設される。前記第１バンド熱着切断ユニット２３は第１梱包バンドＴ１を熱で溶かして接着切断するのに用いられるとともに、横方向の梱包を完成する。なお、前記横方向の梱包機構２０は公知の技術の前述した第１梱包機、第３梱包機の構造と動作原理と同一であるため、その詳細な説明は省略する。
【００１５】
前記縦方向の梱包機構３０は、垂直ガイドユニット３１と、  第２バンド供給ユニット３２と、第２バンド熱着切断ユニット３３とを具備する。前記第２バンド供給ユニット３２は第２梱包バンドＴ２を供給するのに用いられ、前記第２梱包バンドＴ２は前記垂直ガイドユニット３１を経由して前記被作業物体７０の上面７１、底面７２、前面７３及び背面７４に繞設される。前記第２バンド熱着切断ユニット３３は第２梱包バンドＴ２を熱で溶かして接着切断するのに用いられるとともに、縦方向の梱包を完成する。
【００１６】
以上の構成により、固定され、且つ回転しない同一の作業平面１１において前記被作業物体７０の横方向と縦方向の梱包を完成することができる。
【００１７】
さらに、前記縦方向の梱包機構３０の前記第２バンド熱着切断ユニット３３は、第１挟み部材３３１、第２挟み部材３３２、第３挟み部材３３３、第４挟み部材３３４、第５挟み部材３３５、横ガイド部材３３６、切断部３３７および熱溶部３３８を含む。
【００１８】
前記第１挟み部材３３１と前記第２挟み部材３３２は、前記第２梱包バンドＴ２の端部を挟むか、または開放することができる。前記第３挟み部材３３３と前記第４挟み部材３３４と前記第５挟み部材３３５は、前記被作業物体７０の底面７２においてその内外を出入り可能に構成される。しかも前記第３挟み部材３３３と前記第４挟み部材３３４は、前記第２梱包バンドＴ２の第１部位Ｚ１を挟むか、または開放することができる。前記第３挟み部材３３３と前記第５挟み部材３３５は、前記第２梱包バンドＴ２の第２部位Ｚ２を挟むか、または開放することができる。
【００１９】
前記横ガイド部材３３６は、前記第２梱包バンドＴ２を前記被作業物体７０の底面７２へ案内するとともに、前記第２梱包バンドＴ２を部分的に重ね合わせることで前記被作業物体７０を一周するよう装着する。前記切断部３３７は、前記第２梱包バンドＴ２を切断するのに用いられる。前記熱溶部３３８は、前記第２梱包バンドＴ２が部分的に重ね合わせた部位を熱で溶かして接着するのに用いられる。
【００２０】
以下、本考案の動作過程を詳細に説明する。
（ａ）図５Ａに示すように、被作業物体７０を輸送機で移動する。このとき、第２梱包バンドＴ２が傾斜して設置される。なお、設計に応じて略垂直にしてもよいし、また傾斜してもよい。
【００２１】
（ｂ）図５Ｂに示すように、被作業物体７０が第１端１２を通過してベース１０の作業平面１０中へ移動される。第２梱包バンドＴ２が被作業物体７０の押し出しによって湾曲されるとともに被作業物体７０に密着している。
【００２２】
（ｃ）図５Ｃに示すように、前記縦方向の梱包機構３０の垂直ガイドユニット３１が下向きに移動する。同時に、前記横方向の梱包機構２０の横方向のガイドフレーム２１が第１梱包バンドＴ１を内向きに収縮させる。第１梱包バンドＴ１は被作業物体７０の上面７１、底面７２および側面７５、７５を一周するよう装着する。さらに第１梱包バンドＴ１を熱で溶かして固定し、切断することにより、横方向の梱包を完成する。横方向の梱包は、公知の技術と同一であるため、その詳細は、省略する。
【００２３】
（ｄ）図５Ｄに示すように、第２梱包バンドＴ２が第２バンド熱着切断ユニット３３を介して、被作業物体７０の上面７１、底面７２、前面７３および背面７４を一周するよう装着した後に、第２バンド熱着切断ユニット３３は、第２梱包バンドＴ１を熱で溶かして接着し、切断することにより、縦方向の梱包を完成する。同時に、いわゆる十字梱包を完成する。
【００２４】
勿論、本考案では、複数の押圧板４１を設けてもよい。図５Ｃに示すように、必要に応じて被作業物体７０を下向きに押圧して固定する。また、図５Ｄには、上向きに動作する状況を示す。
【００２５】
以下、縦方向の梱包についてより詳細に説明する。
図６Ａに示すように、被作業物体７０が作業平面１１中に入っていない。第２梱包バンドＴ２が傾斜して設置されている。第１挟み部材３３１と第２挟み部材３３２が第２梱包バンドＴ２の端部を挟んでいる。
【００２６】
図６Ｂに示すように、被作業物体７０が作業平面１１中に移動されている。第２梱包バンドＴ２が、被作業物体７０の押し出しによって湾曲されるとともに被作業物体７０に密着している。このとき、第３挟み部材３３３、第４挟み部材３３４、および第５挟み部材３３５が被作業物体７０の下方に位置される。第４挟み部材３３４は、上向きに第２梱包バンドＴ２の固定位置に移動し、その後、第１挟み部材３３１および第２挟み部材３３２は、第２梱包バンドＴ２を開放し、しかも第１挟み部材３３１は、横方向に移動して一定の距離で離れる（図示せず）。
【００２７】
図６Ｃに示すように、第５挟み部材３３５は上向きに移動し、第２梱包バンドＴ２を挟んで押圧する。また、垂直ガイドユニット３１は、下向きに移動し、第２梱包バンドＴ２を下向きに押圧する。しかも横ガイド部材３３６は、垂直ガイドユニット３１の上方に且つ作業平面１１より低い位置に移動されている。
【００２８】
図６Ｄに示すように、横ガイド部材３３６は、第２梱包バンドＴ２を被作業物体７０の底面７２下方に湾曲するとともに部分的に重ね合わせることにより、被作業物体７０を一周するよう装着する（第５挟み部材３３５が退いて開くようになるのを図示せず）。第２梱包バンドＴ２には、折り曲げ点ａが形成される。また、第１挟み部材３３１は横方向に移動し、元の位置へ戻る。
【００２９】
図６Ｅに示すように、第１挟み部材３３１と第２挟み部材３３２は、第２梱包バンドＴ２の端部を挟む。同時に、切断部３３７は、第２梱包バンドＴ２を切断し、切断点ｂを形成する。
【００３０】
最後、図６Ｆに示すように、第２梱包バンドＴ２の切断点ｂは、横ガイド部材３３６が水平方向に横移動することによって、水平状を呈する。その後、熱溶部３３８は、第２梱包バンドＴ２が部分的に重ね合わせた部位（例えば、折り曲げ点ａと切断点ｂとの間の重ね合わせ部分）を熱で溶かして接着する。そして、垂直ガイドユニット３１と横ガイド部材３３６は、元の位置へ戻り、しかも第３挟み部材３３３と第４挟み部材３３４は、被作業物体７０の下方から外側へ移動され、もって次の新しいサイクルを繰り返すようになる。
【符号の説明】
【００３１】
１０    ベース
１１    作業平面
１２    第一端
１３    第二端
２０    横方向の梱包機構
２１    横方向のガイドフレーム
２２    第１バンド供給ユニット
２３    第１バンド熱着切断ユニット
３０    縦方向の梱包機構
３１    垂直ガイドユニット
３２    第２バンド供給ユニット
３３    第２バンド熱着切断ユニット
３３１  第１挟み部材
３３２  第２挟み部材
３３３  第３挟み部材
３３４  第４挟み部材
３３５  第５挟み部材
３３６  横ガイド部材
３３７  切断部
３３８  熱溶部
４１    押圧板
７０    被作業物体
７１    上面
７２    底面
７３    前面
７４    背面
７５    側面
８１    第１梱包機
８２    回転台
８３    第２梱包機
９０    梱包物
Ｔ１    第１梱包バンド
Ｔ２    第２梱包バンド
Ｚ１    第１部位
Ｚ２    第２部位
ａ      折り曲げ点
ｂ      切断点
【図１】
0003165277.tif 000003
【図２】
0003165277.tif 000004
【図３Ａ】
0003165277.tif 000005
【図３Ｂ】
0003165277.tif 000006
【図３Ｃ】
0003165277.tif 000007
【図３Ｄ】
0003165277.tif 000008
【図４】
0003165277.tif 000009
【図５Ａ】
0003165277.tif 000010
【図５Ｂ】
0003165277.tif 000011
【図５Ｃ】
0003165277.tif 000012
【図５Ｄ】
0003165277.tif 000013
【図６Ａ】
0003165277.tif 000014
【図６Ｂ】
0003165277.tif 000015
【図６Ｃ】
0003165277.tif 000016
【図６Ｄ】
0003165277.tif 000017
【図６Ｅ】
0003165277.tif 000018
【図６Ｆ】
0003165277.tif 000019